(57)【要約】【課題】従来は、相関値の時間的変化が一般的なオーディオデータよりも少ないデータにおいては、情報付加を行いにくい。【解決手段】第１の帯域制限フィルタから出力された多チャンネルデジタルオーディオデータに対してチャンネル間の相関値が一定以上の変化を持つような第１のデータ変更処理を行う（ステップＳ１、Ｓ３）。更にｎ個の時間帯をそれぞれｎビットの付加情報の各ビットの値に応じて第２のデータ変更処理を行うか否か選択する（ステップＳ４〜Ｓ９）。これにより、特徴的なデータ相関をとることができる。従って、付加情報読み出し装置では、入力される多チャンネルデジタルオーディオデータが特定の時間帯域において、チャンネル間の相関値が一定以上のばらつきが発生するような処置を施してから情報が付加されているため、相関値の変化を安定的に検出することができる。【選択図】            図１
2004226909.tif 000002
【特許請求の範囲】
【請求項１】
多チャンネルオーディオデータに、著作権者に関する情報を付加すべき情報として埋め込む情報付加方法において、
前記多チャンネルデジタルオーディオデータの特定の周波数帯域または全ての周波数帯域において、チャンネル間のデータ相関値の時間変化が一定以上ばらつくように、入力された前記多チャンネルデジタルオーディオデータを変更する第１のステップと、
前記第１のステップによりデータ変更された前記多チャンネルデジタルオーディオデータの特定の時間帯域または全ての時間帯域において、前記付加すべき情報の各ビットの値に応じて特徴的なデータ相関が発生するように、データ変更する第２のステップと
を含み、前記第２のステップによりデータ変更された多チャンネルデジタルオーディオデータを出力することを特徴とする情報付加方法。
【発明の詳細な説明】
【０００１】
【発明の属する技術分野】
本発明は情報付加方法に係り、特にデジタル化されたコンテンツデータを配信するシステムにおいて、コンテンツの違法コピー及び再販を防止するために、コンテンツの著作権などの製作者に関する情報を、コンテンツデータに付加する情報付加方法に関する。
【０００２】
【従来の技術】
近年、画像データや音声データ、ＭＩＤＩ（Ｍｕｓｉｃ  Ｉｎｓｔｒｕｍｅｎｔ  Ｄｉｇｉｔａｌ  ｉｎｔｅｒｆａｃｅ）データ等のコンテンツデータがデジタル化され、ＣＤ−ＲＯＭ等の記録媒体に記録されて配布されたり、インターネット等のネットワークによって送受信されるようになったのに伴い、コンテンツデータの不正コピーやコピーしたコンテンツデータを著作権者に無許可で販売する等の不正利用が問題となっている。
【０００３】
このような不正利用を防止する手段として、コンテンツデータに著作権情報等の著作権者に関する情報を付加情報として記録する付加情報埋め込み方法が研究開発されている。
【０００４】
必要な条件としては、▲１▼無理に付加情報を取り去ろうとするとコンテンツデータ自体が壊れてしまうように付加情報を埋め込むこと（コンテンツデータに著作権を示す情報が残り続けること）、▲２▼コンテンツデータのどこに情報が埋め込まれているかが分かり難いこと、▲３▼情報を埋め込んでもコンテンツデータはオリジナルの状態、クオリティを留めておくこと等がある。
【０００５】
これらの条件を満たす技術としては、画像データや音声データに存在する人間の知覚上重要ではない部分（冗長部分）に情報を埋め込むことにより、全体のデータ量を変えずに情報を埋め込むことが考えられている。
【０００６】
しかしながら、人間の知覚上重要ではない部分（冗長部分）に情報を埋め込んだ場合、ＭＰＥＧ  Ａｕｄｉｏなどのよく知られている音声圧縮技術により埋め込んだはずの付加情報が消えてしまうことがある。これは、音声圧縮技術が人間の知覚上重要でない部分に関して、削除又は量子化ビット数を減らすなどの処理で情報量を削減してしまうため、音声圧縮技術が処理対象としている人間の知覚上重要ではない部分と、付加情報埋め込み技術が処理対象としている人間の知覚上重要ではない部分とが一致すると、付加情報が消去されやすい結果となるからである。
【０００７】
そこで、本発明者及び本出願人は、先に多チャンネルのデジタルオーディオデータのチャンネル間のデータの相関値が通常よりも高くなるように各チャンネルのサンプル値を変化させることにより、デジタルオーディオデータに付加情報を持たせることを特徴とする情報付加方法を提案した（特許文献１参照）。この特許文献１記載の従来の情報付加方法によれば、例えば、多チャンネルのデジタルオーディオデータにおいて各チャンネルのデータを変化させることによりチャンネル間のデータの相関図を特定の周波数帯域や時間帯において特徴的な変化をするようにし、これを検出できるようにすることにより知覚されにくい情報付加が可能となる。
【０００８】
【特許文献１】
特開２００２−０４９３８０号公報（第２−３頁、図１、図２）
【０００９】
【発明が解決しようとする課題】
しかしながら、上記の従来の情報付加方法では、チャンネル間のデータの相関値が高い状態が連続するなど、相関値の時間的変化が一般的なオーディオデータよりも少ないデータにおいては、オーディオデータの品質を損なうことなくデータ検出するのに充分なほど特徴的な相関を与えることが困難であり、情報付加を行いにくいという問題がある。
【００１０】
本発明は上記の点に鑑みなされたもので、多チャンネルデジタルオーディオデータの特定の周波数帯域又は全ての周波数帯域において、なおかつ、特定の時間帯域又は全ての時間帯域において、チャンネル間の相関値が一定以上のばらつきが発生するような処置をほどこしてからオーディオデータを変更することにより、相関値の変化を安定的に検出し得、もって情報付加を安定に行ない得る情報付加方法を提供することを目的とする。
【００１１】
【課題を解決するための手段】
上記の目的を達成するため、本発明は、多チャンネルオーディオデータに、著作権者に関する情報を付加すべき情報として埋め込む情報付加方法において、多チャンネルデジタルオーディオデータの特定の周波数帯域または全ての周波数帯域において、チャンネル間のデータ相関値の時間変化が一定以上ばらつくように、入力された多チャンネルデジタルオーディオデータを変更する第１のステップと、第１のステップによりデータ変更された多チャンネルデジタルオーディオデータの特定の時間帯域または全ての時間帯域において、付加すべき情報の各ビットの値に応じて特徴的なデータ相関が発生するように、データ変更する第２のステップとを含み、第２のステップによりデータ変更された多チャンネルデジタルオーディオデータを出力することを特徴とする。
【００１２】
この発明では、多チャンネルデジタルオーディオデータの特定の周波数帯域または全ての周波数帯域において、なお、かつ、特定の時間帯域または全ての時間帯域において、チャンネル間の相関値が一定以上のばらつきが発生するような処置を施してからオーディオデータを変更する。
【００１３】
【発明の実施の形態】
次に、本発明になる情報付加方法について図面を用いて説明する。図１は本発明になる情報付加方法の一実施の形態のフローチャートを示す。まず、オリジナルの多チャンネルデジタルオーディオデータは第１の帯域制限フィルタにより帯域制限される（ステップＳ１）と同時に、第２の帯域制限フィルタにより帯域制限される（ステップＳ２）。ここで、第１の帯域制限フィルタと第２の帯域制限フィルタは互いに補完し合う関係にあり、例えばそれらのカットオフ周波数は数十〜数百Ｈｚの任意の周波数で、それぞれの出力信号を合成することにより、全帯域の信号が得られるように設計される。
【００１４】
次に、第１の帯域制限フィルタの出力データのチャンネル間の相関値が一定以上の変化を持つようにデータの変更を行う（ステップＳ３）。データの変更は付加情報を検出する際に行う相関値の算出方法によるが、例えば時間軸上に配置されたデータ列に対して時間軸方向に相関値を算出する場合は、各周波数帯域成分の変化を最小限にしながら時間軸上の差異が最も大きくなるようにデータを変化させる。
【００１５】
次に、入力された付加情報の各ビット値に従い、特定の時間帯に関してチャンネル間の相関値が特徴的な変化をするようにデータの変更を行う。すなわち、予め決められた所定の時間帯であり、例えばオーディオデータの先頭からの時間距離で特定される一定の幅をもった時間帯である特定の時間帯の選択を行い（ステップＳ４）、続いて変数ｉに初期値０を代入した後（ステップＳ５）、付加情報Ｄ（ｉ）の値が０であるか、１であるか判定し（ステップＳ６）、値が０であるときにのみデータ変更を行う（ステップＳ７）。なお、選択可能な時間帯は全部でｎ個あるものとする。
【００１６】
ここで、前記ステップＳ３でのデータ変更では、チャンネル間の相関値の時間変化が一定以上頻繁に発生するように、データサンプル値を変えていたが、上記のステップＳ７でのデータ変更は、チャンネル間の相関値が一定以上の時間帯において高くなるようにデータサンプル値を変更する。
【００１７】
続いて、ステップＳ７のデータ変更の後に、ｎ個ある選択可能な時間帯のうちの次の時間帯の選択が行われ（ステップＳ８）、更に変数ｉの値を１つインクリメントした後、ｉ＜ｎの判定を行う（ステップＳ９）。なお、ステップＳ６でＤ（ｉ）の値が１であると判定されたときには、データ変更を行うことなくステップＳ９に進んで、変数ｉの値を１つインクリメントした後、ｉ＜ｎの判定を行う。
【００１８】
ステップＳ９でｉ＜ｎと判定されたときには、まだ選択可能な時間帯が残っているので、再びステップＳ６に戻ってＤ（ｉ）の値が１か０かの判定を行う。他方、ステップＳ９でｉ≧ｎと判定されたときには、選択可能なすべての時間帯について付加情報の値Ｄ（ｉ）の判定が終了したので、ステップＳ１０に進み、ステップＳ２で得られた第２の帯域制限フィルタの出力データと合成される。この合成処理により、付加情報付きの多チャンネルデジタルオーディオデータが得られる。
【００１９】
このように、本実施の形態によれば、第１の帯域制限フィルタから出力された多チャンネルデジタルオーディオデータに対してチャンネル間の相関値が一定以上の変化を持つような第１のデータ変更処理を行い（例えば、ノイズ付加）、更にｎ個の時間帯をそれぞれｎビットの付加情報の各ビットの値に応じて第２のデータ変更処理を行うか否か選択することにより、特徴的なデータ相関をとることができる。ここで、「特徴的なデータ相関」とは、チャンネル間のデータ相関値を時間軸上にプロットし、これを所定のパラメータでデジタル化した場合に特徴的なデジタルデータが検出できるようなデータ相関をいう。
【００２０】
次に、付加情報読み出し装置について説明する。図２は本発明の情報付加方法により情報が付加された多チャンネルデジタルオーディオデータの付加情報読み出し装置の一例のブロック図を示す。同図において、図１の方法により作成された付加情報付きの多チャンネルデジタルオーディオデータは、記録媒体、伝送媒体等の伝送路を経て帯域制限フィルタ１１に入力されて不要周波数帯域が制限され、例えば前述した第１の帯域制限フィルタの出力データと同じ帯域とされる。
【００２１】
帯域制限フィルタ１１から出力された多チャンネルデジタルオーディオデータは、相関値算出手段１２に入力され、ここで各時間帯におけるチャンネル間の相関値が算出される。この相関値算出手段１２により算出された各時間帯におけるチャンネル間の相関値は、２値化手段１３により所定のしきい値と比較されて２値データとされた後、サンプリング手段１４に供給され、ここで２値データから同期信号が検出されると共に、検出した同期信号を用いてサンプリングが行われ、データ列が検出される。こうして得られたデータ列は、読み出された付加情報Ｄ（ｎ）として出力される。
【００２２】
ここで、図２の付加情報読み出し装置に入力される付加情報付きの多チャンネルデジタルオーディオデータは、図１の付加方法により特定の時間帯域において、チャンネル間の相関値が一定以上のばらつきが発生するような処置を施してから情報が付加されているため、相関値の変化を安定的に検出することができる。
【００２３】
なお、本発明は上記の実施の形態に限定されるものではなく、例えば、ステップＳ７では、付加情報Ｄ（ｉ）の値が１のときに所定のデータ変更をしてもよく。また、チャンネル間の相関値が一定以上のばらつきが発生するようにする時間帯域はすべての時間帯域であってもよく、また、すべての周波数帯域であってもよい。
【００２４】
【発明の効果】
以上説明したように、本発明によれば、多チャンネルデジタルオーディオデータの特定の周波数帯域または全ての周波数帯域において、なお、かつ、特定の時間帯域または全ての時間帯域において、チャンネル間の相関値が一定以上のばらつきが発生するような処置を施してからオーディオデータを変更するようにしたため、情報が付加された多チャンネルデジタルオーディオデータを読み出す読み出し装置において、チャンネル間の相関値の変化を安定的に検出でき、付加された情報を安定的に読み出すことができる。
【図面の簡単な説明】
【図１】本発明の情報付加方法の一実施の形態のフローチャートである。
【図２】付加情報読み出し装置の一例のブロック図である。
【符号の説明】
Ｓ１〜Ｓ１０  処理ステップ
１１  帯域制限フィルタ
１２  相関値算出手段
１３  ２値化手段
１４  サンプリング手段
【図１】
2004226909.tif 000003
【図２】
2004226909.tif 000004